(57)【要約】【課題】カウンターケースを有するリール本体において、カウンターケースの取り付けを容易に行えるようにする。【解決手段】リール本体は、フレーム７と、カウンターケース４と、位置決め突起７ｆ及び位置決め凹部４０ａと、第１及び第２側カバー８ａ，８ｂと、とを備えている。フレームには、スプール１０が間に配置される第１及び第２側板７ａ，７ｂと連結部７ｃとを有する。カウンターケースは、フレームの前上部に載置される水深表示用の箱状のものである。位置決め突起及び位置決め凹部は、載置面に設けられカウンターケースを平面的に位置決めする。第１及び第２側カバーは、カウンターケースの上方への移動を規制する第１及び第２移動規制部８ｅ，８ｈを有し、フレームを軸方向外側から覆う。【選択図】図３
2008000065.tif 000002
【特許請求の範囲】
【請求項１】
スプールが内部に配置され釣り糸がスプールから前方に繰り出される両軸受リールのリール本体であって、
前記スプールが間に配置される左右１対の第１及び第２側板と、前記第１及び第２側板を連結する連結部とを有するフレームと、
前記フレームの前上部に載置される水深表示用の箱状のカウンターケースと、
前記フレームの前記カウンターケースが載置される載置面及びカウンターケースの少なくともいずれかに設けられ、前記カウンターケースを前記載置面の交差する２方向で位置決めする位置決め部と、
前記カウンターケースの前記載置面から離反する方向の移動を規制する第１及び第２移動規制部を各別に有し、前記第１及び第２側板を軸方向外側から覆う左右１対の第１及び第２側カバーと、
を備えた両軸受リールのリール本体。
【請求項２】
前記カウンターケースの前記載置面から離反する方向の移動を規制する第３移動規制部を有し、前記スプールの前方で前記第１及び第２側板間を前方から覆う前カバーをさらに備える、請求項１に記載の両軸受リールのリール本体。
【請求項３】
前記第１及び第２側カバーは、前記カウンターケースの少なくとも左右側に対向する第１及び第２対向部を各別に有し、
前記前カバーは、前記カウンターケースの前側の少なくとも一部に対向する第３対向部を有し、
前記第１から第３対向部により前記カウンターケースの少なくとも三方を囲むように構成された、請求項２に記載の両軸受リールのリール本体。
【請求項４】
前記載置面は、前記連結部上に設けられている、請求項１から３のいずれか１項に記載の両軸受リールのリール本体
【請求項５】
前記位置決め部は、前記載置面と前記カウンターケースとに設けられた少なくとも一つの凹凸嵌合部を有する、請求項１から４のいずれか１項に記載の両軸受リールのリール本体。
【発明の詳細な説明】
【技術分野】
【０００１】
本発明は、リール本体、特に、内部にスプールが配置され釣り糸がスプールから前方に繰り出される両軸受リールのリール本体に関する。
【背景技術】
【０００２】
両軸受リールは、一般に、釣り竿に装着されるリール本体と、リール本体の内部に配置されたスプールと、ハンドルの回転をスプールに伝達する回転伝達機構と、を有している。この種の両軸受リールにおいて、水深表示用のカウンターケースを有するリール本体が従来知られている。従来のリール本体は、間にスプールが配置される左右１対の側板と両側板を連結する連結部とを有するフレームと、フレームの前上部に配置されるカウンターケースと、両側板の軸方向外方を覆う左右１対の側カバーと、スプールの前方で第１及び第２側板間を前方から覆う前カバーと、を有している。
【０００３】
従来のカウンターケースは、矩形箱形の形状であり、見栄えが悪いとともに、落下時にカウンターケースの角部に応力が集中して角部が破損するおそれがある。そこで、リールの見栄えをよくするとともに角部の破損を防止するために、カウンターケースを側カバーや前カバーの曲面形状と連続するように構成したリール本体が従来知られている（たとえば、特許文献１参照）。このようなカウンターケースでは、リール本体のフレームにボルトを利用して固定している。
【特許文献１】特開平１０−２１０９０３号公報
【発明の開示】
【発明が解決しようとする課題】
【０００４】
前記従来の構成では、ボルトによりフレームに固定しているので、カウンターケースにリールを載置し、カウンターケースの１又は複数箇所をボルトにより固定しなければならない。このためカウンターケースの取り付けが煩雑になる。
【０００５】
本発明の課題は、カウンターケースを有するリール本体において、カウンターケースの取り付けを容易に行えるようにすることにある。
【課題を解決するための手段】
【０００６】
発明１に係る両軸受リールのリール本体は、スプールが内部に配置され釣り糸がスプールから前方に繰り出される両軸受リールのリール本体であって、フレームと、カウンターケースと、位置決め部と、第１及び第２側カバーと、を備えている。フレームは、スプールが間に配置される左右１対の第１及び第２側板と、第１及び第２側板を連結する連結部とを有している。カウンターケースは、フレームの前上部に載置される水深表示用の箱状のものであ。位置決め部は、フレームのカウンターケースが載置される載置面及びカウンターケースの少なくともいずれかに設けられ、カウンターケースを載置面の交差する２方向で位置決めするものである。第１及び第２側カバーは、カウンターケースの載置面から離反する方向の移動を規制する第１及び第２移動規制部を各別に有し、第１及び第２側板を軸方向外側から覆う左右１対のカバーである。
【０００７】
この両軸受リールのリール本体では、箱状のカウンターケースは、フレームの載置面にカウンターケースを載置すると、位置決め部により載置面の交差する２方向で位置決めされる。この状態で、フレームの両側から第１及び第２側カバーをフレームに装着すると、第１及び第２移動規制部がカウンターケースの載置面からの移動を規制し、カウンターケースがフレームの前上部に固定される。ここでは、位置決め部により載置面の２方向で位置決めするとともに、位置決めされたカウンターケースの載置面からの離反を第１及び第２移動規制部により防止できるので、ボルトなどの締結部材を用いることなく、フレームにカウンターケースを固定できる。このため、カウンターケースのフレームへの取り付けを容易に行えるようになる。
【０００８】
発明２に係る両軸受リールのリール本体は、発明１に記載のリール本体において、カウンターケースの載置面から離反する方向の移動を規制する第３移動規制部を有し、スプールの前方で記第１及び第２側板間を前方から覆う前カバーをさらに備える。この場合には、前カバーの第３移動規制部でカウンターケースの前部の移動も規制されるので、カウンターケースをフレームにさらに強固に固定できる。
【０００９】
発明３に係る両軸受リールのリール本体は、発明２に記載のリール本体において、第１及び第２側カバーは、カウンターケースの少なくとも左右側に対向する第１及び第２対向部を各別に有し、前カバーは、カウンターケースの前側の少なくとも一部に対向する第３対向部を有し、第１から第３対向部によりカウンターケースの少なくとも三方を囲むように構成されている。
【００１０】
この場合には、第１及び第２対向部を有する第１及び第２側カバーがカウンターケースの左右側に対向し、前側の少なくとも一部には、前カバーの第３対向部が対向し、第１から第３対向部でカウンターケースの少なくとも三方が囲まれる。このため、カウンターケースとリール本体との姿合わせを容易に行えるようになる。また、各対向部の形状を統一することにより、同じカウンターケースに異なる機種やサイズの側カバー及び前カバーを合わせることができ、カウンターケースの共通化を容易に図れるようになる。
【００１１】
発明４に係る両軸受リールのリール本体は、発明１から３のいずれかに記載のリール本体において、カウンターケースは、連結部上に設けられている。この場合には、カウンターケースを連結部上に載置されるので、カウンターケースの装着が容易である。
【００１２】
発明５に係る両軸受リールのリール本体は、発明１から４のいずれかに記載のリール本体において、位置決め部は、載置面とカウンターケースとに設けられた少なくとも一つの凹凸嵌合部を有する、この場合には、カウンターケースがフレームに対して凹凸嵌合により位置決めされるので、カウンターケースの２つの方向への位置決めを容易に行える。
【発明の効果】
【００１３】
本発明によれば、位置決め部により載置面の２方向で位置決めするとともに、位置決めされたカウンターケースの載置面からの離反を第１及び第２移動規制部により防止できるので、ボルトなどの締結部材を用いることなく、フレームにカウンターケースをフレームに固定できる。このため、カウンターケースのフレームへの取り付けを容易に行えるようになる。
【発明を実施するための最良の形態】
【００１４】
＜全体構成＞
本発明の一実施形態による両軸受リールは、釣り糸を巻き付け可能なスプール１０が内部に配置され釣り糸が前方に繰り出されるリールである。また、両軸受リールは、糸繰り出し長さ又は糸巻取長さに応じて仕掛けの水深を表示する水深表示機能を有する小型のカウンタリールである。両軸受リールは、図１に示すように、釣り竿に装着可能なリール本体１と、リール本体１の側方に配置されたスプール回転用のハンドル２と、ハンドル２のリール本体１側に配置されたドラグ調整用のスタードラグ３とを主に備えている。また、両軸受リールは、図２及び図３に示すように、リール本体１に装着された糸巻用のスプール１０と、ハンドルの回転をスプール１０に伝達する回転伝達機構１８と、釣り糸をスプール１０に均一に巻き取るためのレベルワインド機構１４と、を有している。
【００１５】
回転伝達機構１８は、リール本体１の内部に設けられており、ハンドル２とスプール１０との駆動伝達をオン、オフする図示しないクラッチ機構を有している。レベルワインド機構１４は、ハンドル２の回転に連動して釣り糸を左右に案内する釣り糸ガイド１４ａを有している。
【００１６】
リール本体１の後部には、クラッチ機構をオンオフ操作するクラッチ操作部材１１が配置されている。このクラッチ機構をオフすると、スプール１０が自由回転可能になり、仕掛けの自重による糸繰り出しを行える。クラッチ機構をオフすると、ハンドルの回転がスプール１０に伝達されるとともに、仕掛けの自重による糸繰り出し中に、糸繰り出し動作を停止できる。
【００１７】
クラッチ操作部材１１は、図３及び図４に示すように、リール本体１の後端に配置される第１操作部１１ａと、リール本体の上部に配置される第２操作部１１ｂと、両操作部１１ａ，１１ｂをリール本体に沿って連結する第１及び第２連結部１１ｃ，１１ｄと、を有している。第１及び第２連結部１１ｃ，１１ｄは、リール本体１に沿って湾曲して形成されており、間にスプール１０を露出させる空間が形成されている。第１操作部１１ａは主にクラッチオフ操作を行うときに使用され、第２操作部１１ｂは主にクラッチオン操作を行う場合に使用される。第２操作部１１ｂには、リール本体１に係合するガイド軸１１ｅが、両端が突出するように左右に貫通して装着されており、クラッチ操作部材１１の一端は、リール本体１によりスプール軸芯を中心とする円弧に沿って案内される。また、クラッチ操作部材１１の他端にはクラッチ機構に連結されるクラッチプレート１１ｆが固定されている。クラッチプレート１１ｆはリール本体１に係合しており、クラッチ操作部材１１の他端がスプール軸芯を中心とする円弧に沿って案内される。したがって、クラッチ操作部材１１は、スプール軸芯回りに図３に実線で示すクラッチオン位置と、クラッチオン位置より図３反時計回りに回動した二点鎖線で示すクラッチオフ位置とに揺動する。
【００１８】
＜リール本体の構成＞
リール本体１は、図２〜図４に示すように、スプール１０が間に配置される左右１対の第１及び第２側板７ａ，７ｂ並びに第１及び第２側板７ａ，７ｂを連結する連結部７ｃを有するフレーム７と、フレーム７の前上部に配置される水深表示用の液晶表示部５を有する矩形箱状のカウンターケース４と、第１及び第２側板を軸方向外側から覆う左右１対の第１及び第２側カバー８ａ，８ｂと、スプール１０の前方で第１及び第２側板間を前方から覆う前カバー９と、を備えている。なお、図２において、スプール軸芯Ｘにおける断面と、スプール軸芯Ｘより前方に配置されたハンドル軸芯Ｙにおける断面と、ハンドル軸芯Ｙよりさらに前方に位置するカウンターケース４の断面との３つの断面とが、図２の左側と右側と上側とにそれぞれ配置されている。
【００１９】
第１側板７ａは、後部が略半円状に形成され、スプールが通過可能な円形の開口７ｇを有している。開口７ｇには、スプール１０の中心を貫通するスプール軸１２の一端を支持するための円板状のスプール支持部１３が固定されている。スプール支持部１３の中心には、スプール軸１２の一端を支持する玉軸受２５が装着されている。スプール支持部１３は、第１側板７ａにねじ止めされている。スプール支持部１３及び第１側板７ａには、電池ケース１７がねじ止め固定されている。電池ケース１７には、カウンターケース４の電源である電池が収納されており、カウンターケース４と電気配線により接続されている。電池ケース１７には、スプール１０の回転方向及び回転速度を検出するためのスプールセンサ（図示せず）が設けられている。
【００２０】
第１側板７ａの上部には、クラッチ操作部材１１のガイド軸１１ｅが案内される第１ガイド溝７ｄが形成されている。また、後部には、クラッチプレート１１ｆが案内される第２ガイド溝７ｅが軸方向に貫通して形成されている。これらのガイド溝７ｄ，７ｅは、スプール軸芯を中心とする円弧条の溝で構成されている。第１ガイド溝７ｄの外側面には、ガイド軸１１ｅを抜け止めするための抜け止め板６０がねじ止めされている。抜け止め板６０は、第１ガイド溝１１ｄに係合する突起部６０ａを両側面に有している。これは、第１側板７ａと第２側板７ｂとに装着される抜け止め板６０の形状の同じにするためであり、内側の突起部６０ａが第１ガイド溝７ｄに係合する。
【００２１】
第２側板７ｂは、後部が略半円状に形成され、ハンドル２が先端に回転不能に連結されたハンドル軸２０の基端を回転自在に支持している。また、第２側板７ｂは、スプール軸１２をスプール１０の図２右側に配置された玉軸受２６により回転自在に支持している。第１側板７ｂの上部にも、クラッチ操作部材１１のガイド軸１１ｅが案内される第１ガイド溝７ｄがし軸方向に貫通して形成されている。また、後部にも、クラッチプレート１１ｆが案内される第２ガイド溝７ｅが形成されている。これらのガイド溝７ｄ，７ｅもスプール軸芯を中心とする円弧溝で構成されている。第１ガイド溝７ｄの外側面にも、ガイド軸１１ｅを抜け止めするための抜け止め板６０がねじ止めされている。抜け止め板６０は、第１ガイド溝１１ｅに係合する突起部６０ａを両側面に有しているが、内側の突起部６０ａが第１ガイド溝７ｄに係合する。
【００２２】
連結部７ｃは、第１及び第２側板７ａ，７ｂと一体形成されている。連結部７ｃは、リール本体１の前上部に配置された板状の上連結部７ｃ１と、リール本体１の下部に配置された下連結部７ｃ２と、リール本体１の後下部に配置された後連結部７ｃ３とを有し、上部、後部及び下部の３箇所で両側板７ａ，７ｂを連結している。上連結部７ｃ１上には、カウンターケース４が載置されている。上連結部７ｃ１の上面はカウンターケース４の載置面７ｃ４となっている。載置面７ｃ４には、カウンターケース４を位置決めするための２つの位置決め突起（位置決め部の一例）７ｆが左右に間隔を隔てて配置されている。位置決め突起７ｆは、円柱状に突出して上連結部７ｃ１に形成されている。下連結部７ｃ２には、両軸受リールを釣り竿に取り付けるための竿取付脚部１５が一体形成されている。
【００２３】
第１側カバー８ａは、ハンドル２の装着側と逆側に配置されるカバーであり、第１側板７ａに内側からねじ止めされている。第１側カバー８ａは、中央部に電池ケース１７を露出させるための円形の開口８ｃが形成されている。また、上部にカウンターケース４の少なくとも左辺に対向する第１対向部８ｄが形成されている。この実施形態では、第１対向部８ｄは、カウンターケース４の前辺及び後辺の左端側にも対向するように第１側カバー８ａの内側縁８ａ１から凹んで形成されている。この第１対向部８ｄにより、カウンターケース４の左方及び後方と第１側カバー８ａとの隙間が小さくなる。第１対向部８ｄの下方には、カウンターケース４の載置面７ｃ４から離反する方向、すなわち上方への移動を規制するための第１移動規制部８ｅが形成されている。
【００２４】
第２側カバー８ｂは、ハンドル２の装着側に配置されるカバーであり、ハンドル軸２０を支持するとともに逆転を禁止するためのワンウェイクラッチ２１が装着される支持筒部８ｆが軸方向外方に突出して形成されている。また、上部にカウンターケース４の少なくとも右辺に対向する第２対向部８ｇが形成されている。この実施形態では、第２対向部８ｇは、カウンターケース４の前辺及び後辺の右端側にも対向するように第２側カバー８ｂの内側縁８ｂ１から凹んで形成されている。この第２対向部８ｇにより、カウンターケース４の右方及び後方と第２側カバー８ｂとの隙間が小さくなる。第２対向部８ｇの下方には、カウンターケース４の上方への移動を規制するための第２移動規制部８ｈが形成されている。第２側カバー８ｂと第２側板７ｂとの間に回転伝達機構１８が配置されている。
【００２５】
前カバー９は、リール本体１の前部の形状を規定する形状であり、両側板７ａ，７ｂにねじ止め固定されている。前カバー９には、釣り糸を通過させるための矩形の開口部９ａを有している。また、前カバー９の後部には、カウンターケース４の前辺の少なくとも一部に対向する第３対向部９ｂが形成されている。第３対向部９ｂの下方には、カウンターケース４の上方への規制を防止するための第３移動規制部９ｃが形成されている。
【００２６】
これらの第１から第３対向部８ｄ，８ｇ，９ｂによりカウンターケース４の少なくとも三方が囲まれるように構成されている。また、第１から第３移動規制部８ｅ，８ｈ，９ｃによりカウンターケース４の上方への移動が規制されている。
【００２７】
カウンターケース４は、図１に示すように、第１及び第２側カバー８ａ，８ｂ及び前カバー９より僅かに上方に突出して配置されている。カウンターケース４は、図２から図５に示すように、外形が略矩形の箱状部材であって、上連結部７ｃ１に載置された、ケース部材３０と、ケース部材３０の内部に装着された回路基板３１と、回路基板３１上に回路基板３１と隙間をあけて配置された液晶表示部５を含む複数の電気部品３２とを有している。ケース部材３０は、上連結部７ｃ１に載置された下ケース部材４０と、下ケース部材４０を覆うように配置された上ケース部材４１とを有している。
【００２８】
下ケース部材４０は、筐状の上ケース部材４１との間で回路基板３１を挟持する部材であり、ねじ部材４２により上ケース部材４１にねじ止めされている。下ケース部材４０には、上連結部７ｃ１に形成された位置決め突起７ｆに凹凸嵌合して位置決めされる２つの位置決め凹部（位置決め部の一例）４０ａが形成されている。これにより、第１及び第２側カバー８ａ，８ｂと前カバー９とをフレーム７に対して位置決めすることにより、第１〜第３対向部８ｄ，８ｇ，９ｂとカウンターケース４の各辺との間の隙間を可及的に小さくすることができる。また、位置決め突起７ｆと位置決め凹部４０ａが凹凸嵌合することにより、カウンターケース４の載置面７ｃ４の前後方向及び左右方向の２つの方向の位置決めがなされるとともに、２つの位置決め突起７ｆ及び位置決め凹部４０ａの凹凸嵌合により載置面７ｃ４と垂直な軸回りの回り止めも行える。
【００２９】
上ケース部材４１の上面には略矩形の表示窓４１ａが形成され、表示窓４１ａを介して液晶表示部５が臨んでいる。表示窓４１ａには、透明樹脂製のカバー４１ｂが嵌め込まれている。表示窓４１ａの右側には、図２及び図５に示すように、スイッチ操作部６が設けられている。スイッチ操作部６は、上下に並べて配置された電源スイッチ６ａ、モードスイッチ６ｂ及び棚メモスイッチ６ｃを有している。上ケース部材４１の下部には、第１から第３移動規制部８ｅ，８ｈ，９ｃの下面にそれぞれ接触する第１から第３突起部４１ｃ〜４１ｅが前部及び左右の側部から板状に外方に突出して形成されている。この上面（竿取付脚部から離反する側）に第１から第３移動規制部８ｅ，８ｈ，９ｃが接触することにより、カウンターケース４の浮き上がりを防止できる。しかも、位置決め突起７ｆと、位置決め凹部４０ａとによりカウンターケース４が載置面７ｃ４上で２つの方向に位置決めされているので、カウンターケース４を上連結部７ｃ１に位置決めした状態で載置し、第１及び第２側カバー８ａ，８ｂ及び前カバー９をフレームに固定するだけで、第１から第３移動規制部８ｅ，８ｈ，９ｃでカウンターケース４の浮き上がり（上方への移動）を防止することができ、ボルトなどの締結部材を用いることなくカウンターケース４をフレーム７に固定できる。このため、カウンターケース４のフレーム７への取り付けを容易に行える。
【００３０】
回路基板３１は、上ケース部材４１に複数箇所でねじ止めされている。回路基板３１には、水深表示を制御するためのマイクロコンピュータからなる制御部や液晶表示部５の駆動回路やスイッチ操作部６等の電気部品３２が接続されている。液晶表示部５は、仕掛けの水深や棚位置を水面からと底からとの２つの基準で表示するためのものであり、セグメント方式のものである。
【００３１】
＜カウンターケースの固定手順＞
この両軸受リールでは、各種の機構をフレーム７に装着した後、カウンターケース４をフレーム７に装着する際には、最初にカウンターケース４を上連結部７ｃ１の載置面７ｃ４に位置決め凹部４０ａを位置決め突起７ｆに合わせて載置する。これにより、カウンターケース４が上連結部７ｃ１の載置面７ｃ４に載置された状態で載置面に対して交差する２つの方向に平面的に位置決めされる。この状態で、前カバー９を第１及び第２側板７ａ，７ｂにねじ止めし、続いて、左右の第１及び第２側カバー８ａ，８ｂをフレーム７の第１及び第２側板７ａ，７ｂに位置決めした状態で内側からそれぞれねじ止めする。これにより、第１から第３移動規制部８ｅ，８ｈ，９ｃがカウンターケース４の第１から第３突起部４１ｃ〜４１ｅの上面に接触し、カウンターケース４の浮き上がりが防止され、カウンターケース４をフレーム７に固定できる。ここでは、位置決め突起７ｆと位置決め凹部４０ａとの凹凸嵌合により載置面の２方向で位置決めするとともに、位置決めされたカウンターケース４の載置面７ｃ４からの離反を第１から第３移動規制部８ｅ，８ｈ，９ｃにより防止できるので、ボルトなどの締結部材を用いることなく、フレーム７にカウンターケース４を固定できる。このため、カウンターケース４のフレーム７への取り付けを容易に行えるようになる。
【００３２】
＜両軸受リールの動作＞
この両軸受リールでは、釣り糸を繰り出す時には、クラッチ機構をクラッチ操作部材１１によりオフし、スプール１０を自由に回転させ、釣り糸に装着された重りの自重により釣り糸を繰り出す。釣り糸が繰り出されるとスプール１０が回転し、液晶表示部５の水深表示が繰り出し量に応じて変化する。仕掛けが棚に到達すると、クラッチ操作部材１１によりクラッチ機構をオンして釣り糸の繰り出しを停止する。仕掛けの当たりがあると、ハンドル２を回転させてスプール１０を糸巻取方向に回転させて魚を取り込む。
【００３３】
このような構成の両軸受リールのリール本体１では、カウンターケース４は矩形箱状の形状であり、直線的な前辺及び左右の辺に第１から第３対向部８ｄ，８ｇ，９ｂが対向するようにリール本体１の第１及び第２側カバー８ａ，８ｂと前カバー９とを構成したので、カウンターケース４と対向する第１から第３対向部８ｄ，８ｇ，９ｂも直線的な形状でよい。このため、カウンターケース４と、第１及び第２側カバー８ａ，８ｂ並びに前カバー９との姿合わせを容易に行えるようになる。また、各対向部８ｄ，８ｇ，９ｂの形状を統一することにより、同じカウンターケース４に異なる機種やサイズの側カバー及び前カーを合わせることができ、カウンターケースの共通化を容易に図れるようになる。
【００３４】
また、位置決め突起７ｆと位置決め凹部４０ａとの凹凸嵌合により載置面の２方向で位置決めするとともに、位置決めされたカウンターケース４の載置面７ｃ４からの離反を第１から第３移動規制部８ｅ，８ｈ，９ｃにより防止できるので、ボルトなどの締結部材を用いることなく、フレーム７にカウンターケース４を固定できる。このため、カウンターケース４のフレーム７への取り付けを容易に行えるようになる。
【００３５】
＜他の実施形態＞
（ａ）前記実施形態では、前カバー９に第３移動規制部９ｃを設けたが、前カバー９に移動規制部を設けなくてもよい。
【００３６】
（ｂ）前記実施形態では、位置決め突起７ｆと位置決め凹部４０ａとを載置面７ｃ４とカウンターケース４に設け、それらの凹凸嵌合によりカウンターケース４を載置面７ｃ４に位置決めする位置決め部を構成したが、たとえば、載置面にカウンターケースの２つの側面に接触する接触部を設け、その接触部を位置決め部としてもよい。
【００３７】
（ｃ）前記実施形態では、モータを有さない手巻きの両軸受リールを例に本発明を説明したが、モータとカウンターケースとを有する電動リールにも本発明を適用できる。
【図面の簡単な説明】
【００３８】
【図１】本発明の一実施形態を採用した両軸受リールの斜視図。
【図２】その両軸受リールの背面断面図。
【図３】その両軸受リールの側面断面図。
【図４】そのリール本体の分解斜視図。
【図５】カウンターケースの平面図。
【符号の説明】
【００３９】
１  リール本体
４  カウンターケース
７  フレーム
７ａ，７ｂ  第１及び第２側板
７ｃ１〜７ｃ３  第１から第３連結部
７ｃ４  載置面
７ｆ  位置決め突起
８ａ，８ｂ  第１及び第２側カバー
８ｄ，８ｇ，９ｂ  第１から第３対向部
８ｅ，８ｈ，９ｃ  第１から第３移動規制部
１０  スプール
４０ａ  位置決め凹部
４１ｃ〜４１ｅ  第１から第３突起部
【図１】
2008000065.tif 000003
【図２】
2008000065.tif 000004
【図３】
2008000065.tif 000005
【図４】
2008000065.tif 000006
【図５】
2008000065.tif 000007